(57)【要約】【課題】  サイプの閉塞を抑制しエッジ効果や除水効果を確保し、アイス性能と摩耗性能を向上する。【解決手段】  トレッド表面にサイプ１が刻まれた空気入りラジアルタイヤにおいて、サイプ１は厚みが他の部分より厚い第１幅広部２ａを備え、第１幅広部２ａは、トレッド表面から深さ方向に延びサイプ１の底部４に至る途中で閉塞している空気入りラジアルタイヤとする。サイプ１は更に厚みが他の部分より厚い第２幅広部２ｂを備え、第２幅広部２ｂは、第１幅広部２ａの底部４と同じ高さ又はトレッド表面Ｔ側にある位置からサイプ底４まで延びている空気入りラジアルタイヤとする。【選択図】図１
2005247105.tif 000002
【特許請求の範囲】
【請求項１】
トレッド表面にサイプが刻まれた空気入りラジアルタイヤにおいて、
前記サイプは厚みが他の部分より厚い第１幅広部を備え、前記第１幅広部は、トレッド表面から深さ方向に延び前記サイプの底部に至る途中で閉塞している空気入りラジアルタイヤ。
【請求項２】
前記サイプは更に厚みが他の部分より厚い第２幅広部を備え、前記第２幅広部は、前記第１幅広部の底部と同じ高さ又はトレッド表面側にある位置からサイプ底まで延びている請求項１に記載の空気入りラジアルタイヤ。
【発明の詳細な説明】
【技術分野】
【０００１】
本発明は、トレッド表面にサイプにサイプが刻まれた空気入りラジアルタイヤに関し、より詳しくはアイス性能と摩耗性能の両立を図った空気入りラジアルタイヤに関する。
【背景技術】
【０００２】
空気入りタイヤにおいて、主溝や横溝の他にトレッド表面に更に幅の狭いサイプを切り刻んで、排水性を向上させてきた。また、氷雪路の走行を目的としたスタッドレスタイヤにおいては、更に多くのサイプを刻み、該サイプのエッジ効果を発揮させ、制動・駆動性能及び旋回性能を向上させてきた。
【０００３】
図１（ｂ）に示すように、サイプ１は一定の厚みで刻まれることが多かった。例えば、タイヤ幅方向に刻まれたサイプは、制動時になどにおいて負荷される前後力によりサイプ一様に閉塞してしまう。その結果、サイプが本来発揮すべきエッジ効果や除水効果が低下する。このような問題を解決すべく、特許文献１に開示された空気入りタイヤにおいては、図１（ｃ）に示すように、厚みを他の部分より厚くした幅広部２をサイプ１に設け、エッジ効果や除水効果の向上を図っている。
【特許文献１】特開平９−２７２３１２号公報
【発明の開示】
【発明が解決しようとする課題】
【０００４】
特許文献１に係る空気入りタイヤにおいては、サイプ１の開口部３の閉塞を防止できエッジ効果や除水効果が向上する。しかし、幅広部２はトレッド表面Ｔからサイプ底４まで延びているので、サイプ１が刻まれたブロック（陸部）の剛性が低下する。その結果、サイプ１が倒れ込み易くなり接地面積の低下を招き、アイス性能が低下したり偏摩耗が発生することがあった。
【０００５】
したがって、本発明の目的は、サイプの開口部の閉塞を抑制しエッジ効果や除水効果を確保し、アイス性能と摩耗性能を向上することにある。
【課題を解決するための手段】
【０００６】
上記課題を解決するため、鋭意検討した結果、請求項１に記載の発明は、トレッド表面にサイプが刻まれた空気入りラジアルタイヤにおいて、前記サイプは厚みが他の部分より厚い第１幅広部を備え、前記第１幅広部は、トレッド表面から深さ方向に延び前記サイプの底部に至る途中で閉塞している空気入りラジアルタイヤとした。
【０００７】
タイヤ幅方向に刻まれたサイプの場合、制動時などに前後力がサイプに負荷されるとサイプの開口部が閉塞する。しかし、第１幅広部は他の部分より厚いので、第１幅広部の開口部は完全に閉塞せず、サイプによるエッジ効果や除水効果が確保される。また、当該第１幅広部はトレッド表面から延びるがサイプ底まで達していないので、サイプが刻まれた陸部の剛性の低下を抑えられ、接地面積の低下を招くことない。その結果、アイス性能が低下することもなく、段差偏摩耗を抑止することができる。
【０００８】
請求項２に記載の発明は、前記サイプは更に厚みが他の部分より厚い第２幅広部を備え、前記第２幅広部は、前記第１幅広部の底部と同じ高さ又はトレッド表面側にある位置からサイプ底まで延びている請求項１に記載の空気入りラジアルタイヤとした。
【０００９】
摩耗により第１幅広部が消滅しても第２幅広部が出現するので、サイプの開口部が完全に閉塞することがない。その結果、同様にサイプによるエッジ効果や除水効果が確保される。
【発明の効果】
【００１０】
本発明によれば、サイプに幅広部を設け、当該幅広部はいずれもトレッド表面からサイプ底まで延びていない構造としたので、サイプの開口部が完全に閉塞することを防止し、サイプによるエッジ効果や除水効果が確保される。また、陸部の剛性低下が抑えられ、サイプの倒れ込みが抑制されるので、アイス性能が低下することもなく、段差偏摩耗を抑止することができる。
【発明を実施するための最良の形態】
【００１１】
以下、図面を用いて、本発明に係る空気入りラジアルタイヤの実施形態を説明する。図１（ａ）は、本発明に係る空気入りラジアルタイヤに刻まれたサイプを示す斜視図である。直線状のサイプ１はブロックやリブなどの陸部に刻まれ、第１幅広部２ａと第２幅広部２ｂを備えている。第１幅広部２ａはトレッド表面Ｔからサイプ底４に至る途中まで延びている。第２幅広部２ｂは第１幅広部２ａの底部５ａと同じ高さ、またはそれよりトレッド表面Ｔ側にある位置からサイプ底４まで延びている。
【００１２】
図２（ａ）は、サイプ１がブロック１０に刻まれた様子を示す。トレッド表面Ｔにおいては、第１幅広部２ａが出現しているが、第２幅広部２ｂは出現していない。幅広部２ａ、２ｂはブロック１０の端部から離して互いに間隔をおいて配置されている。
【００１３】
例えば、サイプ１がタイヤ幅方向に刻まれているとする。制動時などに前後力がサイプ１に負荷されると、サイプ１の開口部３が閉塞する。第１幅広部２ａがあるため、第１幅広部の開口部３ａは完全に閉塞せず、サイプ１によるエッジ効果や除水効果が確保される。タイヤの摩耗が進行して第１幅広部２ａが消滅しても、第２幅広部２ｂが出現するので、同様に、サイプ１によるエッジ効果や除水効果が確保される。
【００１４】
また、幅広部２ａ及び２ｂはトレッド表面Ｔからサイプ底４まで延びていないので、ブロック１０の剛性が低下することがない。その結果、サイプ１に前後力が負荷されてもサイプ１の倒れ込みを抑えられ、接地面積の低下を招くことなく、アイス性能が低下することもない。
【００１５】
第１幅広部２ａと第２幅広部２ｂは、サイプ１に関して同じ側にあっても、互いに異なる側にあってもよい。また、図示したように幅広部２ａ、２ｂの長さが深さ方向に一定とするほか、長さが深さ方法に変化する形状としてもよい。例えば、厚さ方向に見た幅広部の形状を図示した長方形とするほか、三角形、逆三角形、台形としてもよい。
【００１６】
タイヤの摩耗が進行しブロック１０の高さが低くなりブロック１０の剛性が高くなるので、トレッドに開口した第１幅広部２ａのみとしてもよい。新品時から摩耗が進行するまでは、サイプ１が刻まれたブロック１０が高いので剛性が小さいが、上述したようにサイプ１の倒れ込みを抑えられ、接地面積の低下を招くことなくアイス性能が低下するがない。
【００１７】
幅広部２ａ、２ｂの厚みは特に限定されないが、例えばサイプ１の厚みは０．３ｍｍ〜０．５ｍｍに対して、幅広部２ａ、２ｂの厚みは０．６ｍｍ〜１．２ｍｍとすることが好ましく、０．６ｍｍ〜０．８ｍｍがより好ましい。また、サイプ１は図示したように両端が開口したオープンサイプのほか、両端が閉塞したクローズドサイプ、片端のみが開口した片オープンサイプでもよい。
【実施例】
【００１８】
実施例として本発明に係る空気入りラジアルタイヤ及び従来例に係る空気入りラジアルタイヤをそれぞれ試作して性能評価を行った。実施例に係るタイヤは図２（ａ）に示したブロックを備える。従来例１、２に係るタイヤは、それぞれ図２（ｂ）、（ｃ）に示したブロックを備える。サイプの形状及び寸法は表１に示すとおりで、タイヤサイズは１９５／６５Ｒ１５で、２０００ｃｃＦＦセダン型乗用車に装着して性能評価を行った。ある。
【００１９】
表1において、アイス性能は新品時におけるアイス路面上を時速４０ｋｍからのＡＢＳ制動距離の逆数、摩耗性能はドライ路面を８０００ｋｍ走行した後の段差摩耗量の逆数である。いずれも、従来例１を１００とした指数で表し、数字が大きいほど性能が良いことを示す。
【００２０】
【表１】
2005247105.tif 000003
【００２１】
表1によれば、実施例ではサイプに幅広部が設けられいずれの幅広部もトレッド表面からサイプ底まで延びていないので、サイプの倒れ込みが抑えられ従来例２に比べてもアイス性能が向上している。また、タイヤの剛性が低下していないので、幅広部を備えていない従来例１と摩耗性能を確保している。
【００２２】
以上、サイプをタイヤ幅方向に刻んだ場合について説明したが、サイプをタイヤ周方向や斜め方向に刻んでもよい。タイヤ周方向のサイプの場合、横力に対してサイプの閉塞が抑制され旋回性能が向上する。斜め方向のサイプの場合、前後力及び横力に対してサイプの閉塞が抑制されるので、制動性能及び旋回性能が向上する。
【図面の簡単な説明】
【００２３】
【図１】（ａ）は本発明に係る空気入りラジアルタイヤのサイプの斜視図、（ｂ）及び（ｃ）は従来例に係る空気入りラジアルタイヤのサイプの斜視図をそれぞれ示す。
【図２】サイプが刻まれたブロックを示す図で、（ａ）は実施例、（ｂ）は従来例１、（ｃ）は従来例２に係るブロックを示す。
【符号の説明】
【００２４】
１              サイプ
２ａ            第１幅広部
２ｂ            第２幅広部
３              開口部
【図１】
2005247105.tif 000004
【図２】
2005247105.tif 000005